(57)【要約】本発明は、ユーザの周囲の状況に関するデータを収集する装置と方法に関し、特に、環境データのロギングとその後の検索に関する。本発明の実施例において、前記装置は、１つ以上のロギング・ステーション（１０）と、データバンク（２０）と、ユーザ・ステーション（３０）と、コントリビュータ・ステーション（ｃｏｎｔｒｉｂｕｔｏｒ  ｓｔａｔｉｏｎ）（４０）とを有する。各ユーザはロギング嗜好が蓄積され得るユーザ識別カード（５０）を有する。各ロギング・ステーション（１０）は、ユーザが存在する間の期間を認識し、ユーザが存在する間にロギング嗜好に応じた個人データを記録するように構成される。さらに、ユーザがもはや特定のロギング・ステーション（１０）にいなくなった場合、当該ロギング・ステーションは、ユーザＩＤと記録されたデータを含む情報をデータバンク（２０）に伝達する。前記データバンクから、前記ユーザ・ステーション（３０）は後で前記情報を検索し得る。
2004531010.tif 000002
【特許請求の範囲】
【請求項１】
環境データのロギングと、その後の検索のための方法であって、
（１）第１の位置で、ユーザが存在する間の期間を認識するステップと、
（２）前記ユーザが前記第１の位置に存在する間に、前記第１の位置で、前記ユーザの環境に関連する少なくとも１つの側面に関する環境データを収集するステップと、
（３）記録されたデータに関する情報を、その後の検索のためにデータバンクに送信するステップと
を有する方法。
【請求項２】
請求項１に記載の方法であって、
前記データバンクが、前記第１の位置から前記情報を受信し、送信された前記情報から、前記ユーザが前記データバンクに登録されたユーザかどうかを決定し、前記データバンクが、前記第１の位置で送信された前記データを前記特定のユーザに関連付けるステップ（４）を更に有する方法。
【請求項３】
請求項２に記載の方法であって、
前記データバンクに蓄積された前記情報を、前記ユーザにアクセス可能にするステップ（５）を更に有する方法。
【請求項４】
請求項３に記載の方法であって、
ステップ（５）において前記ユーザが前記データバンクにアクセスする場合に、収集されたデータを選択的に検索するパーソナライズ・フィルタリング・サービスをユーザに提供する方法。
【請求項５】
請求項３に記載の方法であって、
前記データバンクにおいて、蓄積された関連情報を検索することについて前記ユーザを支援する検索サービスを提供するステップ（６）を更に有する方法。
【請求項６】
請求項２に記載の方法であって、
ステップ（４）において、特定のユーザの認識が、前記情報に含まれるユーザＩＤと、ユーザ識別子データベースからのデータとを比較することによって達せられる方法。
【請求項７】
環境データのロギングとその後の検索のための装置であって、
ユーザが存在する間の期間を認識し、前記ユーザが存在する間に、前記ユーザの環境に関連する少なくとも１つの側面に関する個人データを記録し、更に、伝達手段を用いて情報を伝達するように構成される１つ以上のロギング・ステーションと、
前記情報を受信し、前記情報をその後の検索のために蓄積するデータバンクと
前記データバンクから前記情報の検索を容易にするユーザ・ステーションと
を有する装置。
【請求項８】
請求項７に記載の装置であって、
前記ロギング・ステーション又は各ロギング・ステーションが、ユーザの存在を示すユーザ識別子の近接を検知するユーザＩＤ検出装置と、前記ユーザが存在する期間中に前記ロギング・ステーションに個人データのロギングをする環境情報記録装置とを有する装置。
【請求項９】
請求項７に記載の装置であって、
前記情報が、前記ユーザ識別子から読み取られる個人データとユーザＩＤを有する装置。
【請求項１０】
請求項９に記載の装置であって、
前記情報が、ユーザが前記ロギング・ステーションにいる間の時間を示す時間情報を更に有する装置。
【請求項１１】
請求項７に記載の装置であって、
前記データバンクが、前記ユーザ・ステーションの電子メール保存部を構成する装置。
【請求項１２】
請求項１１に記載の装置であって、
前記データバンクが、収集された情報を選択的にフィルタリングし、選択された情報のみを受け付けるように構成される装置。
【請求項１３】
請求項１１に記載の装置であって、
収集された情報が、ユーザインタフェースを介して接続可能なユーザ装置で利用可能な装置。
【発明の詳細な説明】
【０００１】
本発明は、環境データのロギングとその後の検索のための装置と方法に関する。排他的ではないが、特に、特定の人に関する前記データのロギングと検索に関する。
【０００２】
日々、人々は膨大な量のデータに触れている。前記データは、店で演奏されるバックグラウンドミュージックや、テレビ画面に表示される広告や、ショッピングでの購入等のような個人のトランザクションに関するデータの形式である場合がある。当然、膨大な量の前記データは、（圧倒的多数は）重要でなく無用であるか、又は、それを経験する人に有益である。しかし、折に触れて、主要でないように見え得るそのような情報が、有益となったり、ユーザに興味を持たせたりする。例えば、レストランに滞在する間に、ラジオで再生される特定のチャンネルが、特に楽しいものであり、歌曲のタイトルとアーティストの知らせを聞き逃したかもしれない。その聞き逃した情報を得ることは有益であろう。
【０００３】
現在、従来の記録が行われなかった経験した出来事を再現することは、現実に不可能である。あるものを具体的に記録しなければ、特定の状況の再現は、ユーザが正確にそれを記憶していることに依存する。
【０００４】
簡単な、利用しやすい方法で、ユーザの周囲から環境情報を収集し、要求に応じてその後にユーザに提示する何らかの手段を提供することが、本発明の望ましい実施態様の目的である。
【０００５】
本発明の第１の形態により、環境データのロギングとその後の検索の方法が提供される。本方法は：
（１）第１の位置で、ユーザが存在する間の期間を認識するステップと；
（２）ユーザが前記第１の位置に存在する間に、前記第１の位置で、ユーザの環境に関連する少なくとも１つの側面に関する環境データを収集するステップと；
（３）記録されたデータに関する情報を、その後の検索のためにデータバンクに送信するステップと
を有する。
【０００６】
本方法は、望ましくは、
（４）前記データバンクが、前記第１の位置から情報を受信し、送信された情報から、ユーザが前記データバンクに登録されたユーザかどうかを決定し、前記データバンクが、前記第１の位置で送信されたデータを特定のユーザに関連付けるステップを更に含む。
【０００７】
ステップ（５）において、前記データバンクに蓄積された情報は、望ましくは、ユーザにアクセス可能である。望ましくは、ステップ（５）においてユーザが前記データバンクにアクセスする場合に、収集されたデータを選択的に検索するパーソナライズ・フィルタリング・サービスがユーザに提供される。前記データバンクは、信任された第三機関としての機能を果たす。ユーザの嗜好に応じて、前記信任された第三機関は、ステップ（１）の位置へのフィードバックを提供し得る。望ましくは、前記ユーザの嗜好は、環境の嗜好を更に含み、前記ロギング・ステーションは前記環境の嗜好を読み取り、その嗜好に従ってユーザ環境を設定するように構成される。
【０００８】
ステップ（１）において、ユーザの嗜好は、望ましくは、前記第１の位置におけるロギング・ステーションと、ユーザ識別子との間の相互作用により認識される。前記相互作用は、前記ロギング・ステーションに対する前記ユーザ識別子の近接を認識することを有し得る。前記データバンクは、前記位置とユーザの間を媒介し、ユーザの希望と要求を満たし得る。
【０００９】
ステップ（１）において、前記位置は、望ましくは、前記データバンクからユーザの嗜好を要求可能である。前記要求がユーザの興味に合う場合、前記データバンクは、望ましくは、ユーザ・プロフィール情報を前記位置に提供するように構成される。ステップ（２）において、ユーザ・プロフィールに含まれるユーザの嗜好は、ユーザの環境に関する前記の１つ以上の側面を決定し得る。
【００１０】
本方法は、前記データバンクにおいて：
（６）蓄積された関連情報を検索することについてユーザを支援する検索サービスを提供するステップを更に有し得る。
【００１１】
ステップ（４）において、特定のユーザの認識は、望ましくは、前記情報に含まれるユーザＩＤと、ユーザ識別子データベースからのデータとを比較することによって達せられる。
【００１２】
ステップ（５）において、情報は、望ましくは、ユーザの嗜好に応じてユーザの個人領域に分類される。前記情報は、望ましくは、ロギングの時間に応じても分類される。第三機関は、望ましくは、ユーザにその後に伝達するために、前記データバンクに情報を送信し得る。前記第三機関は、ユーザのためにそのような情報を蓄積し、又はユーザの個人電子メールアドレスを使用して、ユーザにそのような情報を伝達し得る。
【００１３】
本方法の簡単な実施形態では、前記ユーザ識別子は、ユーザのメールボックスを参照する簡単なＩＤタグであり、前記位置は、ユーザのＩＤタグを認識し、環境データをユーザの存在に関連付けることができる。
【００１４】
前記位置は、望ましくは、特にユーザが前記位置に存在する時間を示すタイムスタンプのような前後関係の情報も、前記位置自体を定義する情報もまた提供する。前記ユーザのメールボックスは前後関係の情報と、環境情報とをフィルタリングし、管理するサービスを提供し得る。
【００１５】
家庭用電化装置が、望ましくは、前記ユーザのメールボックスにアクセスし、関連データを収集することが可能である。例えば、ミュージックジュークボックスは、前記メールボックスから音楽に関連する全てのデータを収集し得る。
【００１６】
本発明のその他の形態により、環境データのロギングとその後の検索のための装置が提供される。前記装置は：
−  ユーザが存在する間の期間を認識し、ユーザが存在する間に、ユーザの環境に関連する少なくとも１つの側面に関する個人データを記録し、更に、伝達手段を用いて情報を伝達するように構成される１つ以上のロギング・ステーションと；
−  前記情報を受信し、前記情報をその後の検索のために蓄積するデータバンクと；
−  ユーザと協力して情報の検索を容易にするユーザ・ステーションと
を有する。
【００１７】
前記ロギング・ステーション又は各ロギング・ステーションは、好ましくは、ユーザの存在を示すユーザ識別子の近接を検知するユーザＩＤ検出装置と、ユーザが存在する期間中にロギング・ステーションに個人データのロギングをする環境情報記録装置とを有する。
【００１８】
前記情報は、望ましくは、ユーザ識別子から読み取られる個人データとユーザＩＤを有する。
【００１９】
前記情報は、ユーザがロギング・ステーションにいた間の時間を示す時間情報もまた、有し得る。それは、次の、記録された情報の１つ以上の分類、ロギング・ステーション識別子、追加情報のうちの何らかを、更に含み得る。
【００２０】
前記ロギング・ステーション又は各ロギング・ステーションは、望ましくは、記録された情報にタイムスタンプする時間測定手段を更に含む。前記ロギング・ステーション又は各ロギング・ステーションは、望ましくは、前記環境情報記録装置で記録された情報を、前記データバンクに伝達する伝達手段をも更に含む。前記伝達手段は、ネットワーク接続を有し得る。
【００２１】
前記データバンクは、望ましくは、１つ以上のロギング・ステーションから受信した情報からユーザＩＤを認識する手段と、ユーザＩＤに従って、前記１つ以上のロギング・ステーションから情報を蓄積するデータベースとを有する。前記データバンクは前記ユーザ・ステーションの電子メール保存装置を構成し得る。
【００２２】
前記データバンクは、望ましくは、収集された情報を選択的にフィルタリングし、選択された情報のみを受け付けるように構成される。収集された情報は、ユーザインタフェースを介して接続可能なユーザ装置で利用し得る。前記ユーザインタフェースは、収集されたデータ分類を示すロギング嗜好をプログラムするように構成され得る。
【００２３】
ユーザＩＤを認識する前記手段は、望ましくは、前記情報の中の受信されたユーザＩＤを比較し得るユーザ識別子データベースを有する。望ましくは、ロギングの時間に従って、情報が前記データベースに蓄積される。記録されたデータの特定の分類にしたがって、情報が、前記データベースに蓄積され得る。
【００２４】
前記データバンクは、望ましくは、前記ユーザ・ステーションにメッセージを伝達する伝達手段を更に有する。望ましくは、前記伝達手段はネットワーク接続を有する。情報は、電子メールメッセージを用いてユーザに伝達され得る。ユーザに送信されたメッセージは、望ましくは、電子メールメッセージに１つ以上のリンクを有する。
【００２５】
前記データバンクは、望ましくは、基地局で全般の機能と多様な要素間の相互作用とを制御する処理手段を更に含む。
【００２６】
前記ユーザ・ステーションは、望ましくは、ユーザインタフェースと、パーソナル・データベースと、伝達受信手段とを有する。前記データバンクからのメッセージは、望ましくは、前記ユーザ・ステーションで前記パーソナル・データベースに蓄積される。
【００２７】
前記ユーザインタフェースは、望ましくは、ユーザ識別子をプログラムする手段を含む。前記ユーザインタフェースは、望ましくは、収集されたデータの希望の分類を示すロギング嗜好をプログラムする手段を含む。前記ユーザインタフェースは、特定のロギング・ステーションの付近の好みの環境設定を示す、希望の環境の嗜好をプログラムする手段を、更に含み得る。
【００２８】
本発明のよりよい理解のため、及び実施例がどのように実行され得るかを示すため、一例として添付の図面をにより言及が行われる。
【００２９】
次の説明において、環境データについて説明するが、前記の用語は、ユーザの隣接した環境に関連するデータとそれから収集されたデータを意味するために用いられ、本願では、個人データとしても称される。前記隣接した環境は、例えば、ユーザが旅行している乗物であり、ユーザが食事をしているレストラン等である場合がある。
【００３０】
まず図１を参照すると、複数のロギング・ステーション１０１から１０３と、基地局２０の形式のデータバンクと、ユーザ・ステーション３０と、コントリビュータ・ステーション（ｃｏｎｔｒｉｂｕｔｏｒ  ｓｔａｔｉｏｎ）４０とが示される。例えば、第１のロギング・ステーション１０１は、店に配置され、第２のロギング・ステーション１０２は、ユーザの車に配置され、第３のロギング・ステーション１０３は、コンサート会場に配置され得る。
【００３１】
各ロギング・ステーション１０１から１０３は、ユーザ識別検出装置１２と、トランシーバモジュール１４と、環境情報記録装置１６と、タイマー１８とを有する。前記基地局２０は、ユーザ識別子データベース２２と、トランシーバモジュール２４と、リレーショナル・データベース２６と、処理手段２８とを含む。前記ユーザ・ステーション３０は、ユーザインタフェース３２と、トランシーバ３４と、パーソナル・データベース３６と、処理ユニット３８とを有する。
【００３２】
前記コントリビュータ・ステーション（ｃｏｎｔｒｉｂｕｔｏｒ  ｓｔａｔｉｏｎ）４０は、実際には、ユーザ・ステーション３０と同じ構成を有し、コントリビュータ・インタフェース（ｃｏｎｔｒｉｂｕｔｏｒ  ｉｎｔｅｒｆａｃｅ）４２と、トランシーバ４４と、パーソナル・データベース４６と、処理ユニット４８とを有する。図１において、本実施例ではユーザ識別カード５０であるユーザ識別子もまた、図形で示されている。
【００３３】
図１のシステムの動作について説明する。ユーザが、家から車を使用して、店に行き、その後、コンサートに行く１日を想定する。ユーザが、前記の１日の間の環境に関する個人データを収集することに興味を持つ場合、ユーザは家を出る前に、ポケットにユーザＩＤカード５０を必ず入れる。
【００３４】
車に乗ると、車の中の第２のロギング・ステーション１０２が、ユーザＩＤカード５０自体の近接により、ユーザが車に乗ったことを認識する。前記の認識はユーザＩＤ検出装置１２において行われる。前記ユーザＩＤ検出装置１２からの信号が、前記タイマー１８を起動し、個人データを記録する環境情報記録装置１６を起動するように構成される。
【００３５】
前記ユーザ識別カード５０は、望ましくは自動的に遠隔検出可能な形式で、ユーザの電子メールアドレスの詳細を有する簡単なカードである場合がある。しかし、それはまた、入力時にユーザがユーザＩＤ検出装置１２を通じてカードを読み取らせる必要のある、磁気カード装置である場合がある。
【００３６】
車のような移動環境において、検出された個人データは、複数の異なる形式の場合がある。例えば、前記環境情報記録装置１６は、車とそのサブシステムの動作に関する情報を直接記録し得る。このことについて、それは、瞬間又は平均の燃料消費量や、到達した最高スピードや、ＧＰＳシステムからの出発地と目的地や、車内エンターテイメントシステムで演奏される音楽の詳細等の項目を含み得る。前記ロギング・ステーション１０２で収集された情報の形式は、ユーザのロギング嗜好に応じて設定され得る。
【００３７】
このようなロギング嗜好は、例えば、前記ユーザＩＤカード５０により媒介され、前記ＩＤ検出装置１２によりＩＤカード５０から読み取られ得る。それゆえ、特定のユーザに必要のない情報が、前記環境情報記録装置１６により収集される必要がなくなる。
【００３８】
その他、ロギング嗜好は、前記基地局２０に蓄積され、前記ロギング・ステーション１０１から１０３の要求でダウンロード可能な場合がある。例えば、望ましい実施態様において、前記基地局２０は、ユーザの嗜好を含む蓄積されたユーザ・プロフィールを含み、前記プロフィールの検索の要求は、ユーザが存在すると検出されたロギング・ステーションで行われ得る。
【００３９】
前記カード（又はユーザ・プロフィール）は、乗物の環境を制御するための、室内温度、座席の設定、デフォルトの好みのラジオ設定等の、前記ＩＤ検出装置１２で読み取られ得るユーザの嗜好を含み得る。このような嗜好は、下記に環境の嗜好として称される。
【００４０】
ユーザが車から出ると、前記ユーザＩＤ検出装置１２は、ユーザがもはや存在しないという事実を検出し、前記タイマー１８を止める。そして、このことは、次に、前記記録装置１６による環境情報のロギングを終了するために用いられ得る。前記カード５０が磁気カードの場合、追加の読み取り操作を実行することにより、ユーザはロギングを終了し得る。また、このとき、前記環境情報記録装置１６で記録されたデータは、前記基地局２０にアップロードするため、前記トランシーバモジュール１４に送られ得る。
【００４１】
ユーザが車から出た後は、例えば、ロギング・ステーション１０１が配置された店に入る可能性がある。前記ロギング・ステーションは、ロギング・ステーション１０２と同様に作動し、ユーザの存在を登録し、前記基地局２０に後でアップロードするために、関連環境情報を記録することが可能である。この場合、前記関連情報は、ユーザが店にいる間の時間や、購入した何らかのアイテムの詳細（本店の価格検索コンピュータと協力して収集された情報等）や、店で演奏されるバックグラウンド音楽に関するラジオ放送局の詳細のような偶発的な情報に関係する場合がある。この場合も、前記基地局２０にアップロードすることを希望する情報の形式が、前記ユーザＩＤカード５０のユーザの嗜好によって設定され、前記ＩＤ検出装置１２によって読み取られ得る。
【００４２】
最後に、夕方にユーザがコンサート会場に行くと、前記ロギング・ステーション１０３は、ユーザが存在する事実を登録し、夕方の終わりに、コンサート中に演奏された歌曲を含むプレイリストをアップロードするように構成され得る。この場合、前記ロギング・ステーション１０３の環境情報記録装置１６は、その種の情報はコンサートに行く人に興味があるという無難な仮定の通り、前記プレイリストに関する情報を直接供給され得る。
【００４３】
次に、前記基地局２０の動作について考える。特定の実施例において、前記基地局２０は、サービスプロバイダのような信任された第三機関であり、電子メール保存装置としての機能を果たし、前記ロギング・ステーションから記録されたデータを受信し、望ましい実施態様において、ユーザ・プロフィールをロギング・ステーションに提供し、前記ロギング・ステーションが関連情報のみを記録することを支援し得る。
【００４４】
前述のシステムにおいて、環境情報が前記基地局２０にアップロードされることは、すでに説明した。前記アップロードは複数の異なる方法で達せられ得る。例えば、各ロギング・ステーションと、前記基地局とが、インターネットで接続される場合がある。そのほか、ワイヤレス接続である場合がある。更に、前記ロギング・ステーションの要求に基づいて、又は前記基地局２０が多様なインターバルでロギング・ステーションにポーリングすることに基づいて、情報自体の転送が行われる場合がある。
【００４５】
前記基地局２０に送られる環境情報と同様、前記情報は１つ以上のユーザ識別子に関連付けられて得る。例えば、情報がユーザの車の中にある前記第２のロギング・ステーションから受信されると、１つのユーザ識別子のみが、環境情報と共に前記基地局２０に伝達される場合がある。他方、前記第３のロギング・ステーション１０３に関して、コンサートからの同じプレイリスト情報は、非常に多くのユーザ識別子に関連付けられる場合がある。従って、前記基地局２０は、ユーザ識別子に基づいて情報を分類し、リレーショナル・データベース２６に、ユーザ毎に情報を蓄積する必要がある。
【００４６】
前述の本発明の特定の実施例において、ユーザＩＤカード５０がユーザの嗜好をも定める場合について説明した。他の実施例では、前記の嗜好は、要求に基づいて前記ロギング・ステーションに伝達される。そのような構成においては、ユーザに潜在的に興味のある情報のみが、前記基地局２０にアップロードされ、全く関連のない情報の伝達が回避される。前記リレーショナル・データベース２６は、申告されたユーザの嗜好に基づくフィルタリングの仕組みを有し、音楽の好みや、自動車の情報、トランザクション情報等の、特定のユーザの嗜好分類に応じて、情報をサブカテゴリー化する。前記の各分類は、標準的なスキーマに従って、前記基地局の処理手段２８によって設定されたものであるか、前記ユーザ・ステーション３０（簡単に後述する）を用いて、特定のユーザによって前記基地局２０に与えられた情報に従ってカスタマイズされたものである場合がある。
【００４７】
前記処理手段２８は複数の異なる機能を有する。前記処理手段２８は、前記基地局２０自体の全般の動作（標準的なコンピュータ機能であり、追加の説明の必要はない）を制御し、トランシーバモジュール２４を介して受信した情報のリレーショナル・データベース２６への入力を支援し、トランシーバモジュール２４を介して個々のユーザ３０から受信したユーザの嗜好に従って、前記データベース２６を構築する。前記処理手段は、ユーザ識別子データベースの操作により、情報と個々のユーザとのリンクをも認識し、ゆえに、前記リレーショナル・データベース２６の正しい部分に常に情報が蓄積され、同様に、ユーザの要求に応じて前記データベース２６の正しい部分から常に情報が検索される。
【００４８】
信任された第三機関としての基地局２０の役目について、簡単に説明を行った。前記役目において、基地局は個々のユーザと、ロギング・ステーションと、他の関係者との間の媒介を行い得る。
【００４９】
各ユーザ・ステーション３０は複数の異なる機能を実行するように構成される。前記ユーザ・ステーション３０の第１の機能において、前記ユーザインタフェース３２は、ユーザの興味のあるデータ形式に関する参照情報を有する個々のユーザＩＤカード５０をプログラムするように利用され得る。前述の通り、そのような情報の形式は、下記に限定されるわけではないが、トランザクションに関するデータと、隣接した環境でユーザが受け得る音声や映像の刺激に関する情報と、自動車の情報等とを含み得る。ユーザインタフェース３２はまた、多様なロギング・ステーション１０１−１０３から収集された情報が含まれる適当な分類を定義するため、前記基地局２０との通信で接続して使用され得る。
【００５０】
前記ユーザ・ステーション３０のパーソナル・データベース３６は、例えば、専用の電子メールボックスを有し得る。前記電子メールボックスのデータは、単なるテキストのメッセージではなく、ユーザに利用でき、前記基地局２０のリレーショナル・データベース２６から興味のある情報の部分を要求するために使用できるリンクを構成し得る。例えば、前記パーソナル・データベースに蓄積されたリンクは、“４月２１日のコンサートのプレイリスト”のような識別子を備える。そして、ユーザが前記プレイリストにアクセスすることを望む場合、又は、さらに前記プレイリストに関する情報にアクセスすることを望む場合、前記リンクをクリックすることにより、前記ユーザ・ステーションのトランシーバ３４と、前記基地局のトランシーバモジュール２４とを用いて、メッセージを送信することができ、そして、前記処理手段２８が前記リンクを認識し、前記リンクを前記リレーショナル・データベース２６の関連のあるエントリーに関連付けることができ、要求された情報が前記リレーショナル・データベース２６に存在しない場合に、前記情報を前記ユーザ・ステーション３０に直接戻すことができる。
【００５１】
他方、前記情報がリレーショナル・データベース２６に完全に存在しない場合、クエリーがロギング・ステーション１０３に送信され、オリジナルのコンサートのプレイリストを生成し、さらに詳細な情報のために、コンサート会場の環境情報記録装置１６にアクセスする。コンサート会場のロギング・ステーション１０３で保持する情報自体が、例えば、グループやバンドメンバーのウェブサイトや、音楽自体を使用可能にする音楽のウェブサイトや、バンドメンバーの経歴等に関する情報を含み、前記ユーザ・ステーション３０に送られ得るという、さらに複雑なシナリオが考えられる。
【００５２】
前記ユーザ・ステーション３０の処理ユニット３８は、前記ユーザインタフェース３２と、パーソナル・データベース３６と、トランシーバ３４との間の動作を調整し、前記ユーザ・ステーション３０が一部を構成し得るユーザＰＣの動作のような、他の標準的な処理をも管理する。
【００５３】
図１にまた、コントリビュータ・ステーション（ｃｏｎｔｒｉｂｕｔｏｒ  ｓｔａｔｉｏｎ）４０を示す。前述のとおり、前記コントリビュータ・ステーション（ｃｏｎｔｒｉｂｕｔｏｒ  ｓｔａｔｉｏｎ）４０は、ユーザ・ステーション３０と同じ基本構造を有し、さらに、ユーザ・ステーション自体である場合がある。前記コントリビュータ・ステーション（ｃｏｎｔｒｉｂｕｔｏｒ  ｓｔａｔｉｏｎ）４０は、ユーザ・ステーション３０のユーザに関連する情報を、前記基地局２０に送信し、前記リレーショナル・データベース２６のユーザのセクションに蓄積されるように構成され得る。
【００５４】
例えば、コントリビュータ（ｃｏｎｔｒｉｂｕｔｏｒ）は、ユーザの友人でもよく、ユーザが参加したコンサートに関し、ユーザが有していないリンクを、ユーザに送信することを求めるかもしれない。前記の情報の送信は、適当なユーザ識別子と前記情報とを、前記基地局２０に送信することにより行われ得る。そして、ユーザのパーソナル・データベース３６に電子メールを送信することにより、そのような利用可能な情報の存在をユーザに知らせることができる。
【００５５】
本発明の特に優れた特徴は、信任された第三機関を使用して、基地局２０を管理することである。この方法により、信任された第三機関のみが、個々のユーザに関する個人情報を有し、多様な異なるロギング・ステーションから特定のユーザへの環境情報を組み合わせることが可能になる。前記シナリオにおけるコントリビュータ（ｃｏｎｔｒｉｂｕｔｏｒ）は、個々のユーザの識別子を知る、又は、前記基地局２０が認識する専用の電子メールアドレスを所有する必要があり、ゆえに、前記基地局２０は、特定のコントリビュータ（ｃｏｎｔｒｉｂｕｔｏｒ）からの情報が、特定のユーザに指定されることを認識する。
【００５６】
また、望ましい実施態様において、個々のロギング・ステーションと、ユーザ・ステーションと、コントリビュータ・ステーション（ｃｏｎｔｒｉｂｕｔｏｒ  ｓｔａｔｉｏｎ）と、基地局の全てがワールド・ワイド・ウェブにより相互接続され、前記トランシーバモジュールは一般的にはネットワーク接続である。
【００５７】
情報がロギング・ステーションで収集され、基地局２０に伝達される方法の例が図２を用いて示される。図２において、次のステップが、参照記号Ｓ１−Ｓ９に関連付けられる。
Ｓ１＝ユーザが存在するか？
Ｓ２＝ユーザの“入”時間を記録する
Ｓ３＝ユーザＩＤと嗜好を読み取る
Ｓ４＝ユーザが何らかの環境の嗜好を設定したか？
Ｓ５＝環境の嗜好に従って環境を設定する
Ｓ６＝ユーザのロギング嗜好に従って環境情報を記録する
Ｓ７＝ユーザが去ったか？
Ｓ８＝ユーザの“出”時間を記録し、ロギングを終了する
Ｓ９＝記録されたデータを基地局にアップロードする
図２を詳細に見ると、待機状態にある前記ロギング・ステーション１０２のようなロギング・ステーションは、ユーザが存在するかどうか確認するステップＳ１を実行する。ユーザが存在するかどうかの確認は、前記ユーザＩＤ検出装置１２を用いて行われ、前記ユーザＩＤ検出装置は、ユーザＩＤカード５０が近接しているかどうかを検出する。ユーザＩＤカード５０が近接していない場合、ユーザＩＤカード５０が検出されるまで、ステップＳ１はそれ自体にループバックする。
【００５８】
次に、ユーザＩＤカードの検出により、ステップＳ２において、ユーザの“入”時間が設定され、前記“入”時間は、ロギングが実際に開始する時間である。ユーザの“入”時間が記録されると、ステップＳ３において、ユーザＩＤカード５０から詳細が読み取られ、前記カードにある２つの形式の嗜好が分析される。
【００５９】
ユーザＩＤカード５０にある第１の形式の嗜好は、以下、“環境の嗜好”として称される。環境の嗜好は、ユーザの好みの環境状況に関係する。この例として、前記ロギング・ステーション１０２が自動車の場合、前記環境の嗜好は、ユーザの好みの座席位置や、ユーザの好みのラジオ放送局等に関係し得る。カードに登録された第２の形式の嗜好は、ロギング嗜好であり、ユーザが記録することに興味のあるデータの形式に関係する。
【００６０】
ステップＳ４において、システムは前記ＩＤカードが何らかの環境の嗜好を含むかどうか決定し、含む場合は、前記嗜好に応じて環境が設定される。
【００６１】
ステップＳ６において、ユーザのロギング嗜好が読み取られ、環境情報が前記嗜好に応じて記録される。例えば、自動車の設定では、前記嗜好は、出発地や、目的地や、特定のラジオ放送局にチャンネルを合わせるのに要した時間等のロギングを含み得る。このような詳細の全てが、前記遠隔ラジオ放送局１０２の環境情報記録装置１６に蓄積される。
【００６２】
前記ユーザＩＤ検出装置１２が、ユーザがその範囲を越えたことを検出するまでロギングが続き、その時点で、ステップＳ８において、ユーザの“出”時間が記録され、環境のロギングが終了する。
【００６３】
最後に、ステップ９において、記録されたデータが、トランシーバモジュール１４を用いて、前記ロギング・ステーション１０２から基地局２０にアップロードされる。アップロードされたデータのフォーマットは、次のフィールド：ユーザＩＤと；“入”時間と；“出”時間と；収集された環境情報と；情報が収集された分類と；追加情報とを含み得る。
【００６４】
図３を参照して、ロギング・ステーションから情報を受信する際の前記基地局の処理について説明する。図において、次の動作が、ラベルＳ１−Ｓ５に関連付けられる。
Ｓ１＝ロギング・ステーションから情報を受信する
Ｓ２＝ユーザＩＤデータベースとユーザＩＤを照合する
Ｓ３＝ユーザＩＤが存在するか？
Ｓ４＝エラーメッセージを送信する
Ｓ５＝ユーザの個人領域にデータを入力し、ロギング時間とデータの分類に従って分類する
Ｓ６＝ユーザに電子メールを送信する
図３をさらに詳細に見ると、ステップＳ１において、前記基地局２０は、前記第２のロギング・ステーション１０２のような特定のロギング・ステーションから情報を受信する。前記情報の受信は、前記基地局２０の要求で、又は特定の事前に設定された時間に行われ得る、又はロギング・ステーション１０２自体からの要求に従って行われる。
【００６５】
ステップＳ２において、前記ロギング・ステーション１０２からの情報が分析され、前記メッセージに含まれるユーザＩＤが、存在するユーザのデータベース２２と比較される。ユーザＩＤが存在するユーザと一致しない場合、ステップＳ５において、受信された情報は無視され、エラーメッセージが前記ロギング・ステーションに戻す。あるいは、存在しない場合、前記ロギング・ステーションに新規ユーザＩＤを登録するオプションが提供され得る。
【００６６】
ユーザ識別子が存在する場合、ステップＳ５において、メッセージからのデータが、リレーショナル・データベース２６の、ユーザＩＤにより示されるユーザに割り当てられた特定の場所に入力される。情報はまた、ロギングの時間に基づいて、データの分類に従って分類される。例えば、前記データは、音楽データや自動車データとして分類され、前記リレーショナル・データベース２６に入力され得る。
【００６７】
最後に、ステップＳ６において、前記基地局２０は、電子メールメッセージをユーザＩＤが属するユーザ・ステーション３０に送信する。前記電子メールメッセージは、例えば、発生したデータ・ロギングの時間と、オプションでロギングが発生する分類とに関する短い説明情報を含み得る。ＳＭＳやＭＭＳのような、他の形式のメッセージについても送信されることができる。
【００６８】
図４を参照して、ユーザ・ステーション３０と、基地局２０の間の相互作用を示すフローチャートについて説明する。フローチャートにおいて、ラベルＳ１−Ｓ５は次の意味を有する。
Ｓ１＝電子メールを見る
Ｓ２＝興味のあるリンクを選択する
Ｓ３＝基地局に応答信号を送信する
Ｓ４＝詳細情報を受信する
Ｓ５＝記録装置や他のプロバイダへの詳細リンクを追跡する
図４のフローチャートを詳細に見ると、個人のユーザ・ステーション３０にユーザがログオンした後、ユーザは、パーソナル・データベース３６で受信した何らかの電子メールを見るか決定し得る。前記メッセージは、時間や、情報収集の場所や、情報の分類や、それらの何らかの組み合わせによる、説明のタイトルを有し得る。ユーザが興味を持つ特定の時間や場所や分類があると、ユーザは特定の電子メールを選択し、その中のリンクを選択し得る。そして、前記基地局２０の関連情報にアクセスすることが可能となる。前記リンクの選択はＳ２としてフローチャートに示される。
【００６９】
ステップＳ３において、前記ユーザ・ステーションが前記リレーショナル・データベース２６に応答信号を送信し、ユーザがステップＳ４において見るための、選択された特定のリンクに関する更に詳細な情報が、前記リレーショナル・データベース２６からユーザに送信される。
【００７０】
オプションとして、ステップＳ５において、ユーザができるだけ多くの情報を要求する場合、例えば、特定のロギング・ステーションや関連する外部のウェブサイトに記録された情報にアクセスするように保存されたオリジナルの情報に存在する場合には、ユーザは専用のリンクを用いて詳細のリンクを追跡し得る。この形式の詳細なリンクの追跡の例として、前記第３のロギング・ステーション１０３がコンサート会場にある場合は、前記基地局２０にアップロードされた情報は、コンサート会場で演奏しているバンドや、バンドミュージシャンの経歴や、プレイリスト等のウェブサイトに関するリンクを含み得る。その他、前記第３のロギング・ステーション１０２は、ロギング・ステーション自体でアクセス可能なデータベースに存在する（又はデータベースを介してアクセス可能な）前記リンクを有するように構成され、前記リンクを“追加情報”フィールドに含むように構成され得る。その他、前記リンクは“追加情報”フィールドに挿入され、その他の情報源に直接導かれ得る。
【００７１】
前述の説明において、専用の電子メールアドレスと信任された第三期間を用いることにより、環境情報が記録され、ユーザに利用できる本発明の特定の実装について説明した。
【００７２】
図５に、本発明の別のインプリメンテーションを示す。ここで、同じ数字は、前記の実施例で説明したものと同じ又は類似の要素を示す。
【００７３】
図５の構成において、前記データバンクは、前記パーソナル・データベース３６（ユーザのメールボックス）によって構成され、データバンク機能を具体化する離れた基地局の必要性が回避される。図５に示す実施例において、前記ユーザ識別子５０は、ユーザの電子メールアドレスを含み、前記位置１０は、ユーザ・ステーション３０のユーザのメールボックスに、環境情報と前後関係の情報を直接送信する。前後関係の情報の例として、ユーザが存在する時間に関連する情報と、前記位置１０自体を認識する情報とがある。前記ユーザ・ステーション３０でユーザに利用可能なソフトウェエアは、位置からの全データを受け付ける、又は、選択されたデータのみを受け付けるようなフィルタリング機能を有し得る。前記受け付けられたデータはパーソナル・データベース３６に蓄積され得る。
【００７４】
ユーザの家庭用電化装置が、前記ユーザ・ステーション３０のユーザインタフェース３０と相互作用し、データベース３６からデータにアクセスし得ることも認められるであろう。例えば、ユーザのジュークボックス装置が、データベース３６にアクセスし、それ自体に音楽データをロードし得る。
【００７５】
本発明を実現するその他の多くの方法が認められ、このことは技術的に熟練した人に明白であろう。
【図面の簡単な説明】
【００７６】
【図１】本発明により、個人データの収集と、操作と、利用を行う装置の例を示したものである。
【図２】本発明の実施例により、ロギング・ステーションで環境データを収集することを示すフローチャートである。
【図３】本発明の実施例に従って、基地局における環境データの動作と蓄積とを示すフローチャートである。
【図４】記録されたデータを検索することに関するユーザのステップを示すフローチャートである。
【図５】本発明の追加の実施例を示したものである。
【国際公開パンフレット】
2004531010.tif 000003
2004531010.tif 000004
2004531010.tif 000005
2004531010.tif 000006
2004531010.tif 000007
2004531010.tif 000008
2004531010.tif 000009
2004531010.tif 000010
2004531010.tif 000011
2004531010.tif 000012
2004531010.tif 000013
2004531010.tif 000014
2004531010.tif 000015
2004531010.tif 000016
2004531010.tif 000017
2004531010.tif 000018
2004531010.tif 000019
2004531010.tif 000020
2004531010.tif 000021
2004531010.tif 000022
【国際調査報告】
2004531010.tif 000023
2004531010.tif 000024